(57)【要約】【課題】  横たわり仰向けで読書が出来る読書スタンド、読書テーブルが有るがこれらは透明板に本を伏せて載せ透明板を通して本を見る事に成るが、透明板に照明器具の光りが乱反射し、周囲の像が透明板に鏡の様に写り長時間の読書する場合、目に負担がかかり適していなかった。  又、本のページをめくる際、透明板より本を取り上げ、ページをめくり再度テーブルに本を伏せなければならない手数を必要としていた。【解決手段】  読書する本の上下一部分をスタンドに載せる事で、上記記述した欠点が解消出来る。  又、メモ帳、日記帳等寝ながら仰向けで記入でき、本を載せるスタンドの大きさが容易に調整可能が出来る為に読書スタンド以外にもワンセグ、携帯、ＤＶＤプレイヤー等色々な物を載せ使用ができ活用範囲の広いスタンドを提供する。【選択図】図１
2008173423.tif 000002
【特許請求の範囲】
【請求項１】
積載物支持部材（１）、積載物の滑り落下防止部材（２）、支柱（３）、支持台（４）から成る特許請求項１の読書スタンド。
【請求項２】
積載物支持部材（１）を二分割したＵ型形状とし、積載物の大きさに合せ固定する蝶ボルト（５）、蝶ボルト挿入口を楕円形溝（６）に形成し積載物支持部材（１）内に設けた事を特徴とする特許請求項１の読書スタンド。
【請求項３】
積載物支持部材（１）の上部一端に積載物の滑り落下防止部材（２）を角柱部材（１１）を用い設けた事を特徴とする特許請求項１の読書スタンド。
【請求項４】
積載物支持部材（１）の下部に取り付けする積載物の滑り落下防止部材（２）を長方形の板状部材（７）とし設けた事を特徴とする特許請求項１の読書スタンド。
【請求項５】
積載物支持部材（１）、下端にビス（９）で取り付けする長方形の板状の部材（７）内にビス締め付け穴を楕円形溝（８）に成形し設けた事を特徴とする特許請求項１の読書スタンド。
【請求項６】
長方形の板状の部材（７）を積載物支持部材（１）、にビス（９）弾力性を有する部材のスペサー（１０）を用い取り付けした事を特徴とする特許請求項１の読書スタンド。
【発明の詳細な説明】
【技術背景】
【０００１】  寝転び仰向けで読書が可能な読書スタンド、読書テーブルに関する。
【背景技術】
【０００２】  本を透明板のテーブルに伏せ、寝転び仰向けで読書が可能な読書スタンド、テーブルが有る。
【特許文献】特開２００４−２８１３５６
【特許文献】特願２００６−２２２１１８
【発明の開示】
【発明が解決しようとする課題】
【０００３】  本を透明板のテーブルに伏せ、寝転び仰向けで読書が可能な読書スタンド、読書テーブルが有るが解決しようとする問題点は、伏せた本を見る際、蛍光灯スタンドの光りが透明板のガラス板、プラスッチク板等のテーブルに乱反射し目を刺激し、周囲の像がテーブル板に鏡の様に写る欠点があり長時間の読書には目が疲れる為不向きであった又、本のページをめくる際、テーブルが邪魔になりテーブルから本を取り上げてページをめくり再度伏せなければならない手数を必要としていた。
【課題を解決しようとする課題】
【０００４】  本発明は、ガラス板、プラスチック板等の透明板を用いず、積載物支持部材（１）、積載物の滑り落下防止部材（２）、を読書する本の大きさに合せ調整可能固定部材を設ける事で読書しようとする本の上下一部分を伏せて載せて見る事で蛍光灯スタンド等の光りの乱反射が起きない利点がある。
【０００５】  積載物支持部材（１）、積載物の滑り落下防止部材に本を伏せ寝転び仰ぎ見読書するが、上記記述した透明板がない為、直接ページをめくる事が可能になり積載物支持部材（１）滑り落下防止部材（２）の取り付け位置を自在調整固定可能な部材を設ける事でスタンドに載せる積載物の適した幅を得る事を最も主要な特徴とする。
【発明の効果】
【０００６】  積載物支持部材（１）の楕円形溝（６）、滑り落下防止部材の長方形の板状部材（７）内に積載物の大きさに合せ調整可能な楕円形溝（８）を設けている為に本以外のゲーム機の液晶モニター、ＤＶＤプレイヤー、液晶テレビ等を載せるのに適した幅、大きさのスタンドが得られこれらを横たわりながら鑑賞できる又、メモ帳日記帳等を伏せて載せ記入できる利点がある。
【発明を実施する為の最良の形態】
【０００７】
【０００８】  積載物支持部材（１）、の幅、大きさを可変し固定する蝶ボルト（５）設け、積載物の滑り落下防止部材（２）、を設ける事で小さな文庫本から週刊誌等の読書する本の大きさに自在に合せ固定でき、使い易い読書スタンドが少数の部品点数で実現した。
【実施例１】
【０００９】  図１、図２、図３、図４の添付図面に従って実施例１を説明する。図１は、本発明の実施例１の全体斜視図であり、図２は、積載物支持部材（１）の上部に積載物の滑り落下防止部材である角柱部材（１１）を設けた部分拡大斜視図。【００１０】  Ｕ字型積載支持部材（１）中央を二分割し読書する本の大きさに合せ積載物支持部材を固定する蝶ボルト（５）を設け固定する。【００１１】  Ｕ字型積載物支持部材（１）の下方一端上部に積載物滑り落下防止部材の角柱部材（１１）を設ける図２。【００１２】  文庫本の大きさに積載支物持部材（１）を合せ、蝶ボルト（５）で固定し文庫本を積載支持部材（１）に載せた図３である。【００１３】  週刊誌の大きさに積載物支持部材（１）を合せ、蝶ボルト（５）で固定し週刊誌を積載支持部材（１）に載せた図４である。【００１４】  上記図３図４の本下部に積載物滑り落下防止部材の角柱部材（１１）が設けている為に本の落下滑り落ちがない。
【実施例２】
【００１５】  図５、図６、図７、図８、図９の添付図面に従って実施例２を説明する。図５は、積載物支持部材（１）の下端に積載物滑り落下防止部材である長方形の板状部材（７）を設け、長方形の板状部材（７）に本を載せ伏せた全体斜視図である。【００１６】  図６は、積載物支持部材（１）の下端に積載物滑り落下防止部材である長方形の板状部材（７）を設け、板状部材内の楕円形溝（８）に沿って週刊誌の大きさに板状部材（７）を合せた部分拡大図で有る。【００１７】  図７は、週刊誌の大きさに板状部材（７）を合せ板状部材に週刊誌を伏せた状況斜視図である。【００１８】  図８は、文庫本を伏せて載せるために板状部材内の楕円形溝（８）に沿って積載物滑り落下防止部材である長方形の板状部材を縮めた部分拡大斜視図で有る。【００１９】  図９は、上記記述した板状部材（７）に文庫本を載せ伏せた状況斜視図である。【００２０】  図６、図８内に記載したビス（９）は弾力性の有するスペサー部材（１０）を適度に締め付けする事でスペサー部材が長方形の板状部材（７）を圧迫し積載物支持部材（１）に固定する。【００２１】  弾力性の有するスペサー部材（１０）を設ける事で、長方形の板状部材（７）を積載物の必要とする幅、大きさを手で伸縮調整ができる。【００２２】  ビス（９）は、木ネジ、タッピングビス等を用要る。【００２３】  弾力性の有するスペサー部材（１０）は、丸型等で適度の厚み弾力性を有する部材で有れば、ゴム系、スポンジ系等の部材材質を用いても良い。
【産業上の利用可能性】
【００２４】  読書スタンドとして発明開発去れたもので有るが、メモ帳、ノート、日記帳等横たわり仰向けで記入出来る等、液晶テレビモニター、ワンセグ、携帯、ＤＶＤプレーヤー等をスタンドに載せ、積載物の大きさにスタンドを合せる事が出来る為に、上記記述した他にも色々な物を載せて使用できる用途の広いスタンドを提供できる。
【図面の簡単な説明】
【００２５】
【図１】は、本発明の読書スタンドの実施例１の全体斜視図である。
【図２】は、滑り落下防止部材で有る角柱部材（１１）を積載物支持部材（１）上端に取り付けした部分拡大斜視図。
【図３】は、文庫本を積載物支持部材に伏せ載せた部分拡大斜視図である。
【図４】は、週刊誌を積載物支持部材に伏せ載せた部分拡大斜視図である。
【図５】は、滑り落下防止部材で有る長方形の板状の部材（７）に本を伏せ載せた実施例２の全体斜視図である。
【図６】は、積載物支持部材（１）下端に滑り落下防止部材で有る長方形の板状の部材（７）を取り付けした部分拡大斜視図である。
【図７】は、長方形の板状の部材（７）に週刊誌を伏せ載せた部分拡大状況斜視図。
【図８】は、積載物支持部材（１）下端に滑り落下防止部材で有る長方形の板状の部材（７）を文庫本の大きさに合せ、長方形の板状の部材（７）を縮めた部分拡大斜視図。
【図９】は、長方形の板状の部材（７）に文庫本を載せた状況斜視図。
【図１０】は、読書スタンドにＤＶＤプレイヤーを載せた状況斜視図。
【図１１】は、積載物支持部材（１）を固定する蝶ボルト（５）楕円形溝（６）の部分拡大図。
【符号の説明】
【００２６】１  積載物支持部材
２  滑り落下防止部材
３  支持部材
４  台
５  蝶ボルト
６  楕円形溝
７  長方形の板状の部材
８  楕円形溝
９  ビス
１０  弾力性の有するスペサー部材
１１  角柱部材の滑り落下防止部材
１２  読書する本の角度調整固定蝶ネジ
１３  文庫本
１４  週刊誌
１５  ＤＶＤプレイヤー
【図１】
2008173423.tif 000003
【図２】
2008173423.tif 000004
【図３】
2008173423.tif 000005
【図４】
2008173423.tif 000006
【図５】
2008173423.tif 000007
【図６】
2008173423.tif 000008
【図７】
2008173423.tif 000009
【図８】
2008173423.tif 000010
【図９】
2008173423.tif 000011
【図１０】
2008173423.tif 000012
【図１１】
2008173423.tif 000013